【手続補正書】
【提出日】令和3年11月19日(2021.11.19)
【手続補正１】
【補正対象書類名】特許請求の範囲
【補正対象項目名】全文
【補正方法】変更
【補正の内容】
【特許請求の範囲】
【請求項１】
補強ゴム組成物の調製方法であって、少なくとも１２０℃の温度で、少なくとも以下の化合物、
（ｉ）ゴムと、
（ｉｉ）少なくとも１つ無機充填剤と、
（ｉｉｉ）少なくとも１つの有機過酸化物と、
（ｉｖ）フェノール類、パラフェニリデンジアミン、および窒素酸化物から選択される少なくとも１つの酸化防止剤と
を混合するステップを含む、方法。
【請求項２】
補強ゴム組成物を加硫する方法であって、
（ａ）少なくとも１２０℃の温度で、少なくとも以下の化合物、
（ｉ）ゴム、
（ｉｉ）少なくとも１つの無機充填剤、
（ｉｉｉ）少なくとも１つの有機過酸化物、ならびに
（ｉｖ）フェノール類、パラフェニリデンジアミン、および窒素酸化物から選択される少なくとも１つの酸化防止剤
を混合することにより得られた補強ゴム組成物、ならびに
（ｂ）硬化パッケージ
を含む混合物を調製するステップと、
前記混合物を成形し、加熱して加硫を引き起こすステップと
を含む、方法。
【請求項３】
前記ゴムが、エチレンプロピレンジエンターポリマーエラストマー（ＥＰＤＭ）、エチレン−プロピレンコポリマーエラストマー（ＥＰＭ）、エチレン−ビニルアセテート（ＥＶＡおよびＥＶＭ）、天然ゴム（ＮＲ）、ブチルゴム（ＢＲ）、イソプレンゴム（ＩＲ）、ブロモブチルゴム（ＢＩＩＲ）、スチレン−ブタジエンゴム（ｅ−ＳＢＲおよびｓ−ＳＢＲを含む）、ポリスルフィド（Ｔ）、ブチルゴム（ＩＩＲ）、ニトリルゴム（ＮＢＲ）、および水素化ニトリルゴム（ＨＮＢＲ）から選択される、請求項１または２に記載の方法。
【請求項４】
前記少なくとも１つの無機充填剤が、シリカ、カーボンブラック、炭酸カルシウム、粘土、チョーク、タルク、水酸化アルミニウム、水酸化マグネシウム、およびそれらの組合せからなる群から選択される、請求項１〜３のいずれか１項に記載の方法。
【請求項５】
前記少なくとも１つの有機過酸化物が、ペルオキシケタールおよびペルオキシエステルからなる群から選択される、請求項１〜４のいずれか１項に記載の方法。
【請求項６】
前記少なくとも１つの有機過酸化物および任意の前記少なくとも１つの酸化防止剤が、５〜４５重量％の固体無機担体上または１０〜５０重量％のゴム中のいずれかに分散される、１０〜５０重量％の有機過酸化物と０〜５０重量％の酸化防止剤とを含む、固体配合物の形態で、前記ゴムおよび前記少なくとも１つの無機充填剤に添加される、請求項１〜５のいずれか１項に記載の方法。
【請求項７】
前記少なくとも１つの有機過酸化物および前記少なくとも１つの酸化防止剤が、１０〜５０重量％の有機過酸化物と５〜４５重量％の酸化防止剤と０〜５０重量％の溶媒とを含む液体配合物の形態で、前記ゴムおよび前記少なくとも１つの無機充填剤に添加される、請求項１〜６のいずれか一項に記載の方法。
【請求項８】
少なくとも１つの酸化防止剤が、フェノール系酸化防止剤である、請求項１〜７のいずれか１項に記載の方法。
【請求項９】
少なくとも１つの酸化防止剤が、パラフェニリデンジアミンである、請求項１〜８のいずれか１項に記載の方法。
【請求項１０】
少なくとも１つの酸化防止剤が、窒素酸化物である、請求項１〜９のいずれか１項に記載の方法。
【請求項１１】
前記硬化パッケージが、元素状硫黄および１以上の硫黄硬化促進剤および／または硫黄供与体を含む、請求項１〜１０のいずれか１項に記載の方法。
【請求項１２】
５〜４５重量％の少なくとも１つの固体無機担体上に分散される、１０〜５０重量％の少なくとも１つの有機過酸化物と、５〜５０重量％のフェノール類、パラフェニリデンジアミン、および窒素酸化物から選択される少なくとも１つの酸化防止剤とを含む、固体配合物。
【請求項１３】
１０〜５０重量％のゴム中に分散される、１０〜５０重量％の少なくとも１つの有機過酸化物と、０〜５０重量％の少なくとも１つの無機担体と、５〜５０重量％のフェノール類、パラフェニリデンジアミン、および窒素酸化物から選択される少なくとも１つの酸化防止剤とを含む、固体配合物。
【請求項１４】
１０〜５０重量％の少なくとも１つの有機過酸化物と、フェノール類、パラフェニリデンジアミン、および窒素酸化物から選択される５〜５０重量％の少なくとも１つの酸化防止剤と、０〜５０重量％の溶媒とを含む、液体配合物。
【請求項１５】
２０〜９０重量％のカーボンブラック上に分散される、１０〜８０重量％の１，１−ジ（ｔｅｒｔ−ブチルペルオキシ）シクロヘキサン、１−ジ（ｔｅｒｔ−ブチルペルオキシ）−３，３，５−トリメチルシクロヘキサン、２，２−ジ（ｔｅｒｔ−ブチルペルオキシ）ブタン、および１，１−ビス（ｔｅｒｔ−ブチルペルオキシ）−２−イソプロピル−５−メチルシクロヘキサンからなる群から選択される少なくとも１つの有機過酸化物を含む、固体配合物。
【請求項１６】
前記少なくとも１つの有機過酸化物が、ペルオキシケタールおよびペルオキシエステルからなる群から選択される、請求項１２〜１４のいずれか１項に記載の配合物。
【手続補正２】
【補正対象書類名】明細書
【補正対象項目名】０１１５
【補正方法】変更
【補正の内容】
【０１１５】
【表１４】
2021512987.tif 000001
なお、本発明は以下の態様を含みうる。
［１］補強ゴム組成物の調製方法であって、少なくとも１２０℃の温度で、少なくとも以下の化合物、
（ｉ）ゴムと、
（ｉｉ）少なくとも１つ無機充填剤と、
（ｉｉｉ）少なくとも１つの有機過酸化物と、
（ｉｖ）フェノール類、パラフェニリデンジアミン、および窒素酸化物から選択される少なくとも１つの酸化防止剤と
を混合するステップを含む、方法。
［２］補強ゴム組成物を加硫する方法であって、
（ａ）少なくとも１２０℃の温度で、少なくとも以下の化合物、
（ｉ）ゴム、
（ｉｉ）少なくとも１つの無機充填剤、
（ｉｉｉ）少なくとも１つの有機過酸化物、ならびに
（ｉｖ）フェノール類、パラフェニリデンジアミン、および窒素酸化物から選択される少なくとも１つの酸化防止剤
を混合することにより得られた補強ゴム組成物、ならびに
（ｂ）硬化パッケージ
を含む混合物を調製するステップと、
前記混合物を成形し、加熱して加硫を引き起こすステップと
を含む、方法。
［３］前記ゴムが、エチレンプロピレンジエンターポリマーエラストマー（ＥＰＤＭ）、エチレン−プロピレンコポリマーエラストマー（ＥＰＭ）、エチレン−ビニルアセテート（ＥＶＡおよびＥＶＭ）、天然ゴム（ＮＲ）、ブチルゴム（ＢＲ）、イソプレンゴム（ＩＲ）、ブロモブチルゴム（ＢＩＩＲ）、スチレン−ブタジエンゴム（ｅ−ＳＢＲおよびｓ−ＳＢＲを含む）、ポリスルフィド（Ｔ）、ブチルゴム（ＩＩＲ）、ニトリルゴム（ＮＢＲ）、および水素化ニトリルゴム（ＨＮＢＲ）から選択される、上記［１］または［２］に記載の方法。
［４］前記少なくとも１つの無機充填剤が、シリカ、カーボンブラック、炭酸カルシウム、粘土、チョーク、タルク、水酸化アルミニウム、水酸化マグネシウム、およびそれらの組合せからなる群から選択され、好ましくは、シリカ、カーボンブラック、およびそれらの組合せから選択される、上記［１］〜［３］のいずれかに記載の方法。
［５］前記少なくとも１つの有機過酸化物が、ペルオキシケタールおよびペルオキシエステルからなる群から選択され、より好ましくはペルオキシケタールであり、最も好ましくは、１，１−ジ（ｔｅｒｔ−ブチルペルオキシ）シクロヘキサン、１−ジ（ｔｅｒｔ−ブチルペルオキシ）−３，３，５−トリメチルシクロヘキサン、２，２−ジ（ｔｅｒｔ−ブチルペルオキシ）ブタン、および１，１−ビス（ｔｅｒｔ−ブチルペルオキシ）−２−イソプロピル−５−メチルシクロヘキサンからなる群から選択される、上記［１］〜［４］のいずれかに記載の方法。
［６］前記少なくとも１つの有機過酸化物および任意の前記少なくとも１つの酸化防止剤が、５〜４５重量％の固体無機担体上または１０〜５０重量％のゴム中のいずれかに分散される、１０〜５０重量％の有機過酸化物と０〜５０重量％の酸化防止剤とを含む、固体配合物の形態で、前記ゴムおよび前記少なくとも１つの無機充填剤に添加される、上記［１］〜［５］のいずれかに記載の方法。
［７］前記少なくとも１つの有機過酸化物および前記少なくとも１つの酸化防止剤が、１０〜５０重量％の有機過酸化物と５〜４５重量％の酸化防止剤と０〜５０重量％の溶媒とを含む液体配合物の形態で、前記ゴムおよび前記少なくとも１つの無機充填剤に添加される、上記［１］から［６］のいずれかに記載の方法。
［８］少なくとも１つの酸化防止剤が、フェノール系酸化防止剤であり、好ましくはｔｅｒｔ−ブチルヒドロキノン（ＴＢＨＱ）、ブチル化ヒドロキシトルエン（ＢＨＴ）、ポリ（ジシクロペンタジエン−ｃｏ−ｐ−クレゾール）、ペンタエリスリトールテトラキス（３−（３，５−ジ−ｔｅｒｔ−ブチル−４−ヒドロキシフェニル）プロピオネート）、オクタデシル−３−（３，５−ジ−ｔｅｒｔ−ブチル−４−ヒドロキシフェニル）−プロピオネート、ビス−（２−ヒドロキシ−３−ｔｅｒｔ−ブチル−５−メチルフェニル）メタン、４，４’−チオ−ビス（６−ｔｅｒｔ−ブチル−ｍ−メチルフェノール）、および２，２’−チオビス（６−ｔｅｒｔ−ブチル−４−メチルフェノール）からなる群から選択される、上記［１］〜［７］のいずれかに記載の方法。
［９］少なくとも１つの酸化防止剤が、パラフェニリデンジアミンであり、好ましくはＮ−１，３−ジメチルブチル−Ｎ’−フェニル−ｐ−フェニレンジアミン、Ｎ−イソプロピル−Ｎ’−フェニル−ｐ−フェニレンジアミン、およびＮ，Ｎ’−ジフェニル−ｐ−フェニレンジアミンからなる群から選択される、上記［１］〜［８］のいずれかに記載の方法。
［１０］少なくとも１つの酸化防止剤が、窒素酸化物であり、好ましくは２，２，６，６−テトラメチル−１−ピペリジニルオキシフリーラジカル（ＴＥＭＰＯ）、２，２，６，６−テトラメチル−４−ヒドロキシ−１−ピペリジニルオキシフリーラジカル（ＯＨ−ＴＥＭＰＯ）、４−カルボキシ−２，２，６，６−テトラメチル−１−ピペリジニルオキシフリーラジカル（４−カルボキシ−）、２，２，６，６−テトラメチル−４−アミノ−１−ピペリジニルオキシフリーラジカル（４−アミノ−ＴＥＭＰＯ）、および２，２，６，６−テトラメチル−４−オキソピペリジノオキシフリーラジカル（４−オキソ−ＴＥＭＰＯ）からなる群から選択される、上記［１］〜［９］のいずれかに記載の方法。
［１１］前記硬化パッケージが、元素状硫黄および１以上の硫黄硬化促進剤および／または硫黄供与体を含む、上記［１］〜［１０］のいずれかに記載の方法。
［１２］５〜４５重量％の少なくとも１つの固体無機担体上に分散される、１０〜５０重量％の少なくとも１つの有機過酸化物と、５〜５０重量％のフェノール類、パラフェニリデンジアミン、および窒素酸化物から選択される少なくとも１つの酸化防止剤とを含む、固体配合物。
［１３］１０〜５０重量％のゴム中に分散される、１０〜５０重量％の少なくとも１つの有機過酸化物と、０〜５０重量％の少なくとも１つの無機担体と、５〜５０重量％のフェノール類、パラフェニリデンジアミン、および窒素酸化物から選択される少なくとも１つの酸化防止剤とを含む、固体配合物。
［１４］１０〜５０重量％の少なくとも１つの有機過酸化物と、フェノール類、パラフェニリデンジアミン、および窒素酸化物から選択される５〜５０重量％の少なくとも１つの酸化防止剤と、０〜５０重量％の溶媒とを含む、液体配合物。
［１５］２０〜９０重量％のカーボンブラック上に分散される、１０〜８０重量％の１，１−ジ（ｔｅｒｔ−ブチルペルオキシ）シクロヘキサン、１−ジ（ｔｅｒｔ−ブチルペルオキシ）−３，３，５−トリメチルシクロヘキサン、２，２−ジ（ｔｅｒｔ−ブチルペルオキシ）ブタン、および１，１−ビス（ｔｅｒｔ−ブチルペルオキシ）−２−イソプロピル−５−メチルシクロヘキサンからなる群から選択される少なくとも１つの有機過酸化物を含む、固体配合物。
［１６］前記少なくとも１つの有機過酸化物が、ペルオキシケタールおよびペルオキシエステルからなる群から選択され、より好ましくはペルオキシケタールであり、最も好ましくは、１，１−ジ（ｔｅｒｔ−ブチルペルオキシ）シクロヘキサン、１−ジ（ｔｅｒｔ−ブチルペルオキシ）−３，３，５−トリメチルシクロヘキサン、２，２−ジ（ｔｅｒｔ−ブチルペルオキシ）ブタン、および１，１−ビス（ｔｅｒｔ−ブチルペルオキシ）−２−イソプロピル−５−メチルシクロヘキサンからなる群から選択される、上記［１２］〜［１４］のいずれかに記載の配合物。